(57)【要約】【課題】読み取り画像において導光部から漏れた光による光量ムラを抑制できる画像読取装置、及び該画像読取装置を備える画像形成装置を提供すること。【解決手段】画像読取装置３００は、原稿Ｇを載置する載置面３０２Ａを有する光透過性部材３３５と、光透過性部材３３５における載置面３０２Ａと反対側に配置され、光透過性部材３３５の載置面３０２Ａにおける所定の照射位置Ｉに照射させる光を発光する発光部５０１と、発光部５０１からの光を照射位置Ｉへ導く導光部５０５と、発光部５０１を支持すると共に、発光部５０１と照射位置Ｉとをつなぐ直線Ｋ上に配置される遮光部５０２ａを有する支持部材５０２と、を備える。【選択図】図４
2010199680.tif 000002
【特許請求の範囲】
【請求項１】
原稿を載置する載置面を有する光透過性部材と、
前記光透過性部材における前記載置面と反対側に配置され、前記光透過性部材の前記載置面における所定の照射位置に照射させる光を発光する発光部と、
前記発光部からの光を前記照射位置へ導く導光部と、
前記発光部を支持すると共に、前記発光部と前記照射位置とをつなぐ直線上に配置される遮光部を有する支持部材と、
前記原稿からの光束を反射させて光路を形成する１又は複数のミラーと、
前記１又は複数のミラーにより反射された光束を結像させる結像レンズと、
前記結像レンズの結像位置に配置され、前記結像レンズによる結像に基づいて前記原稿の画像を読み取る読取部と、を備える
画像読取装置。
【請求項２】
前記導光部は、前記発光部と前記載置面との間に配置され、前記発光部側に配置される入光部と前記載置面側に配置される出光部とを有する導光体からなり、
前記支持部材は、前記導光体における前記載置面側の外面の少なくとも前記入光部の近傍に対向して配置される
請求項１に記載の画像読取装置。
【請求項３】
前記支持部材は、前記発光部を発光させるための回路基板である
請求項１又は２に記載の画像読取装置。
【請求項４】
前記導光体は、前記入光部と前記出光部との間に、前記導光体が屈曲する屈曲部を有し、前記入光部から前記屈曲部まで延びると共に、前記載置面に対して平行に配置される水平面部を前記外面に有する水平部と、前記屈曲部を介して前記載置面側に屈曲すると共に、前記屈曲部から前記出光部まで延びる斜め傾斜部とを有し、
前記支持部材は、前記水平面部における前記屈曲部と前記入光部との間の領域の略全域に亘って配置される
請求項２又は３に記載の画像読取装置。
【請求項５】
請求項１から４のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、
前記転写部により前記所定の用紙に転写されたトナー画像を定着させる定着部と、を備える
画像形成装置。
【発明の詳細な説明】
【技術分野】
【０００１】
本発明は、画像読取装置及び画像読取装置を備える画像形成装置に関する。
【背景技術】
【０００２】
従来、原稿の画像を読み取る画像読取装置として、原稿に光を照射する照明部と、原稿からの光を反射させて光路を形成するミラーと、原稿からの光束を結像させる結像レンズと、結像レンズにより結像された原稿の画像を読み取るＣＣＤ（Ｃｈａｒｇｅ―Ｃｏｕｐｌｅｄ  Ｄｅｖｉｃｅ）と、を備える画像読取装置が知られている。
【０００３】
照明部を構成する発光部として、蛍光灯やキセノン管等の管状の発光部材以外にも、白色ＬＥＤ（Ｌｉｇｈｔ―Ｅｍｉｔｔｉｎｇ  Ｄｉｏｄｅ）等の発光部材が用いられている。例えば、複数の白色ＬＥＤを主走査方向に配列することで照明部を構成した画像読取装置が提案されている（例えば、特許文献１参照）。
【０００４】
また、複数のＬＥＤからの光を有効に利用するため、複数のＬＥＤからの光を原稿側に導く導光体から導光部を構成した画像読取装置が提案されている（例えば、特許文献２参照）。
【先行技術文献】
【特許文献】
【０００５】
【特許文献１】特開２００２−３１４７６０号公報
【特許文献２】特開２００７−１５８５５６号公報
【発明の概要】
【発明が解決しようとする課題】
【０００６】
しかし、複数のＬＥＤからの光を導光体により原稿側へ導く場合において、導光体における出光部から出光される光とは別に、複数のＬＥＤからの漏れ光が原稿側に照射されることで、ＣＣＤにより読み取られた画像において配光ムラ（光量ムラ）が生じる場合があった。
上記は、導光体を含まないで構成される導光部においても同様に生じる場合がある。
【０００７】
本発明は、導光部から漏れた光により読み取り画像に生じる光量ムラを抑制可能な画像読取装置を提供することを目的とする。
また、本発明は、該画像読取装置を備える画像形成装置を提供することを目的とする。
【課題を解決するための手段】
【０００８】
本発明は、原稿を載置する載置面を有する光透過性部材と、前記光透過性部材における前記載置面と反対側に配置され、前記光透過性部材の前記載置面における所定の照射位置に照射させる光を発光する発光部と、前記発光部からの光を前記照射位置へ導く導光部と、前記発光部を支持すると共に、前記発光部と前記照射位置とをつなぐ直線上に配置される遮光部を有する支持部材と、前記原稿からの光束を反射させて光路を形成する１又は複数のミラーと、前記１又は複数のミラーにより反射された光束を結像させる結像レンズと、前記結像レンズの結像位置に配置され、前記結像レンズによる結像に基づいて前記原稿の画像を読み取る読取部と、を備える画像読取装置に関する。
【０００９】
また、前記導光部は、前記発光部と前記載置面との間に配置され、前記発光部側に配置される入光部と前記載置面側に配置される出光部とを有する導光体からなり、前記支持部材は、前記導光体における前記載置面側の外面の少なくとも前記入光部の近傍に対向して配置されることが好ましい。
【００１０】
また、前記支持部材は、前記発光部を発光させるための回路基板であることが好ましい。
【００１１】
また、前記導光体は、前記入光部と前記出光部との間に、前記導光体が屈曲する屈曲部を有し、前記入光部から前記屈曲部まで延びると共に、前記載置面に対して平行に配置される水平面部を前記外面に有する水平部と、前記屈曲部を介して前記載置面側に屈曲すると共に、前記屈曲部から前記出光部まで延びる斜め傾斜部とを有し、前記支持部材は、前記水平面部における前記屈曲部と前記入光部との間の領域の略全域に亘って配置されることが好ましい。
【００１２】
本発明は、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、前記転写部により前記所定の用紙に転写されたトナー画像を定着させる定着部と、を備える画像形成装置に関する。
【発明の効果】
【００１３】
本発明によれば、導光部から漏れた光により読み取り画像に生じる光量ムラを抑制可能な画像読取装置を提供することができる。
また、本発明によれば、該画像読取装置を備える画像形成装置を提供することができる。
【図面の簡単な説明】
【００１４】
【図１】コピー機１の各構成要素の配置を説明するための図である。
【図２】画像読取装置３００の読取部３０１の内部構造を示す概略平面図である。
【図３】図２に示す画像読取装置３００を矢印Ｓ方向から見た図である。
【図４】図３に示す導光体５０５の部分拡大図である。
【図５】図３に示すＬＥＤユニット５０３の斜視図である。
【発明を実施するための形態】
【００１５】
以下、図面を参照して、本発明の実施形態を説明する。
まず、図１から図５により、本発明の実施形態について説明する。
図１により、本実施形態における画像形成装置としてのコピー機１における全体構造を説明する。図１は、コピー機１の各構成要素の配置を説明するための図である。
【００１６】
図１に示すように、画像形成装置としてのコピー機１は、コピー機１における上方側に配置される画像読取装置３００と、コピー機１における下方側に配置され画像読取装置３００からの画像情報に基づいてシート状の被転写材としての用紙Ｔにトナー画像を形成する装置本体Ｍと、を備える。
【００１７】
画像読取装置３００について説明する。
図１に示すように、画像読取装置３００は、蓋部材７０と、原稿Ｇの画像を読み込む読取部３０１と、を備える。
蓋部材７０は、読取部３０１に対して不図示の連結部により開閉可能に連結される。蓋部材７０は、後述する読取面３０２Ａを保護する機能を有する。
【００１８】
読取部３０１は、読取面３０２Ａと、内部空間３０４に配置される光源を含む照明部３４０と、複数のミラー３２１、３２２及び３２３と、読取面３０２Ａと平行な方向に移動する第１枠体３１１及び第２枠体３１２と、結像レンズ３５７と、読取手段としてのＣＣＤ３５８と、ＣＣＤ３５８により読み取られた画像データに対して所定の処理をすると共に該画像データを装置本体Ｍ側に出力させるＣＣＤ基板３６１と、を備える。
【００１９】
読取面３０２Ａは、原稿Ｇが載置されるコンタクトガラス３０２の垂直方向上面に沿って形成される。
上述の照明部３４０及びミラー３２１は、第１枠体３１１に収容される。また、ミラー３２２及び３２３は、第２枠体３１２に収容される。
【００２０】
読取部３０１の内部空間３０４において、複数のミラー３２１、３２２及び３２３は、原稿Ｇからの光を結像レンズ３５７に入光させるための光路Ｈを形成する。また、第１枠体３１１が副走査方向Ｘに一定速度Ａで移動すると共に、第２枠体３１２が副走査方向Ｘに一定速度Ａ／２で移動するため、画像読み取り動作時においても、光路Ｈの長さは一定に維持される。これにより、読取面３０２Ａに載置された原稿Ｇの画像が読み取られる。
【００２１】
装置本体Ｍについて説明する。
装置本体Ｍは、所定の画像情報に基づいて用紙Ｔに所定のトナー画像を形成する画像形成部と、用紙Ｔを画像形成部に給紙すると共にトナー画像が形成された用紙Ｔを排紙する給排紙部とを有する。
【００２２】
図１に示すように、画像形成部は、像担持体（感光体）としての感光体ドラム２ａ、２ｂ、２ｃ、２ｄと、帯電部１０ａ、１０ｂ、１０ｃ、１０ｄと、露光ユニットとしてのレーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラ３７ａ、３７ｂ、３７ｃ、３７ｄと、２次転写ローラ８と、対抗ローラ１８と、定着部９と、を備える。
【００２３】
図１に示すように、給排紙部は、給紙カセット５２と、手差し給紙部６４と、用紙Ｔの搬送路Ｌと、レジストローラ対８０と、第１排紙部５０ａと、第２排紙部５０ｂとを備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂと、後処理搬送路Ｌｃとの集合体である。
【００２４】
以下、画像形成部及び給排紙部の各構成について詳細に説明する。
まず、画像形成部について説明する。
画像形成部においては、感光体ドラム２ａ、２ｂ、２ｃ、２ｄそれぞれの表面に対して、上流側から下流側に順に、帯電部１０ａ、１０ｂ、１０ｃ、１０ｄによる帯電、レーザスキャナユニット４ａ、４ｂ、４ｃ、４ｄによる露光、現像器１６ａ、１６ｂ、１６ｃ、１６ｄによる現像、中間転写ベルト７及び１次転写ローラ３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部においては、中間転写ベルト７、２次転写ローラ８及び対抗ローラ１８による２次転写、並びに定着部９による定着が行われる。
【００２５】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる機軸を中心に矢印の方向に回転可能に配置される。感光体ドラム２ａ、２ｂ、２ｃ、２ｄそれぞれにおける表面には、静電潜像が形成される。
【００２６】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００２７】
レーザスキャナユニット４ａ、４ｂ、４ｃ、４ｄは、露光ユニットとして機能するものであり、感光体ドラム２ａ、２ｂ、２ｃ、２ｄそれぞれの表面から離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００２８】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄそれぞれの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００２９】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄに形成された静電潜像に各色のトナーを付着させて、カラーのトナー画像を現像する（感光体ドラムの表面にトナー画像を形成する）。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄの表面に対向配置可能な現像ローラ、トナー攪拌用の攪拌ローラ等を有して構成される。
【００３０】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３１】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００３２】
中間転写ベルト７には、感光体ドラム２ａ、２ｂ、２ｃ、２ｄに現像された各色のトナー画像が順次転写される。中間転写ベルト７は、従動ローラ３５、駆動ローラからなる対抗ローラ１８、テンションローラ３６等に掛け渡される。テンションローラ３６が中間転写ベルト７を内側から外側に付勢するため、中間転写ベルト７には所定の張力が与えられる。
【００３３】
中間転写ベルト７を挟んで感光体ドラム２ａ、２ｂ、２ｃ、２ｄと反対の側には、１次転写ローラ３７ａ、３７ｂ、３７ｃ、３７ｄそれぞれが対向して配置される。
【００３４】
１次転写ローラ３７ａ、３７ｂ、３７ｃ、３７ｄそれぞれと、感光体ドラム２ａ、２ｂ、２ｃ、２ｄそれぞれとの間で、中間転写ベルト７における所定部分が挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラ３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００３５】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００３６】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００３７】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナーを所定の回収機構へ搬送させて、回収させる。
【００３８】
２次転写ローラ８は、中間転写ベルト７に１次転写されたトナー画像を用紙Ｔに２次転写させる。２次転写ローラ８には、不図示の電圧印加手段により、中間転写ベルト７に形成されたトナー画像を用紙Ｔに転写させるための２次転写バイアスが印加される。
【００３９】
２次転写ローラ８は、中間転写ベルト７に対して接離される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。
【００４０】
中間転写ベルト７における２次転写ローラ８に対向する側には、対抗ローラ１８が配置される。中間転写ベルト７における所定部分は、２次転写ローラ８と対抗ローラ１８とによって挟み込まれる。そして、用紙Ｔは中間転写ベルト７の外面（トナー画像が１次転写された面）に押し当てられる。２次転写ローラ８と対抗ローラ１８との間で２次転写ニップＮ２が形成される。２次転写ニップＮ２において、中間転写ベルト７に１次転写されたトナー画像が用紙Ｔに２次転写される。
【００４１】
定着部９は、用紙Ｔに２次転写されたトナー画像を構成する各色トナーを溶融して用紙Ｔに定着させる。定着部９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟持するようにして搬送する。加熱ローラ９ａと加圧ローラ９ｂとの間に挟持されるように用紙Ｔが搬送されることで、用紙Ｔに転写されたトナーは、溶融し、用紙Ｔに定着される。
【００４２】
次に、給排紙部について説明する。
図１に示すように、装置本体Ｍの下部には、用紙Ｔを収容する２個の給紙カセット５２が上下に配列されて配置される。給紙カセット５２は、装置本体Ｍの筐体から水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３からなる重送防止機構を備える。
【００４３】
装置本体Ｍの右側面（図１において右側）には、手差し給紙部６４が設けられる。手差し給紙部６４は、給紙カセット５２にセットされる用紙Ｔとは異なる大きさや種類の用紙Ｔを装置本体Ｍに供給することを主目的として設けられる。手差し給紙部６４は、閉状態において装置本体Ｍの一部を構成する手差しトレイ６５と、給紙コロ６６とを備える。手差しトレイ６５は、その下端が給紙コロ６６の近傍に回動自在（開閉自在）に取り付けられる。開状態の手差しトレイ６５には、用紙Ｔが載置される。手差し給紙部６４は、開状態の手差しトレイ６５に載置された用紙Ｔを手差し搬送路Ｌａに給紙する。
【００４４】
装置本体Ｍにおける上方側には、第１排紙部５０ａ及び第２排紙部５０ｂが設けられる。第１排紙部５０ａ及び第２排紙部５０ｂは、用紙Ｔを装置本体Ｍの外部に排紙する。第１排紙部５０ａ及び第２排紙部５０ｂの詳細については後述する。
【００４５】
用紙Ｔを搬送する搬送路Ｌは、カセット給紙部５１から２次転写ローラ８までの第１搬送路Ｌ１と、２次転写ローラ８から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第３搬送路Ｌ３を上流側から下流側へ搬送する用紙を後処理装置（図示せず）に搬送する後処理搬送路Ｌｃとを備える。
【００４６】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、後処理搬送路Ｌｃが第３搬送路Ｌ３から分岐する分岐部である。第１分岐部Ｑ１には、整流部材５８が設けられている。整流部材５８は、定着部９から搬出された用紙Ｔの搬送方向を、第１排紙部５０ａに向かう第３搬送路Ｌ３又は第２排紙部５０ｂに向かう後処理搬送路Ｌｃに整流させる（切り換える）。
【００４７】
第１搬送路Ｌ１の途中（詳細には、第２合流部Ｐ２と２次転写ローラ８との間）には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信情報に基づいて上述の補正やタイミング調整をして用紙Ｔを搬送する。
【００４８】
戻し搬送路Ｌｂは、用紙Ｔの両面印刷を行う際に、既に印刷されている面とは反対面（非印刷面）を感光体ドラム２に対向させるために設けられる搬送路である。戻し搬送路Ｌｂによれば、第１分岐部Ｑ１から排紙部５０側に搬送された用紙Ｔを表裏反転させて第１搬送路Ｌ１に戻して、２次転写ローラ８の上流側に配置されたレジストローラ対８０の上流側に搬送させることができる。戻し搬送路Ｌｂにより表裏反転された用紙Ｔには、感光体ドラム２により非印刷面に対して所定のトナー画像が転写される。
【００４９】
第３搬送路Ｌ３における端部には、第１排紙部５０ａが形成される。第１排紙部５０ａは、装置本体Ｍにおける上方側に配置される。第１排紙部５０ａは、装置本体Ｍの右側面側（図１において右側、手差し給紙部６４側）に向けて開口している。第１排紙部５０ａは、第３搬送路Ｌ３を搬送される用紙Ｔを装置本体Ｍの外部に排紙する。
【００５０】
第１排紙部５０ａにおける開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、所定のトナー画像が転写され第１排紙部５０ａから排紙された用紙Ｔが積層して集積される。
【００５１】
後処理搬送路Ｌｃにおける端部には、第２排紙部５０ｂが形成される。第２排紙部５０ｂは、装置本体Ｍにおける上方側に配置される。第２排紙部５０ｂは、装置本体Ｍの左側面側（図１において左側、後処理装置が連結される側）に向けて開口している。第２排紙部５０ｂは、後処理搬送路Ｌｃを搬送される用紙Ｔを装置本体Ｍの外部に排紙する。
第２排紙部５０ｂにおける開口側には、後処理装置（図示せず）が連結される。後処理装置は、画像形成装置（コピー機１）から排出される用紙の後処理（ステープル、パンチ等）を行うものである。
なお、各搬送路の所定位置には用紙検出用のセンサが配置される。
【００５２】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図１に示すように、装置本体Ｍの左側面側（図１において左側）には、主搬送路Ｌ１〜Ｌ３及び戻り搬送路Ｌｂが主に上下方向に延びるように並列している。装置本体Ｍの左側面側（図１において左側）には、装置本体Ｍの側面の一部を形成するように、カバー体４０が設けられている。カバー体４０は、その下端部において、支点軸４３を介して装置本体Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図１に示す位置）と開位置（図示せず）との間を回動自在に構成されている。
【００５３】
カバー体４０は、支点軸４３によって装置本体Ｍに回動自在に連結された第１のカバー部４１と、同じ支点軸４３によって装置本体Ｍに回動自在に連結された第２のカバー部４２とから構成されている。第１のカバー部４１は、第２のカバー部４２よりも装置本体Ｍの外側（側面側）に位置する。なお、図１において、左下がりの破線でハッチングされた部分が第１のカバー部４１であり、右下がりの破線でハッチングされた部分が第２のカバー部４２である。
【００５４】
カバー体４０が閉位置に位置する状態において、第１のカバー部４１は、その外面側が装置本体Ｍの外面（側面）の一部を形成している。
また、カバー体４０が閉位置に位置する状態において、第２のカバー部４２は、その内面側（装置本体Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００５５】
本実施形態のコピー機１は、このような構成のカバー体４０を備えることにより、主搬送路Ｌ１〜Ｌ３で紙詰まり（ＪＡＭ）が発生した際には、カバー体４０を図１に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を装置本体Ｍ側（図１において右側）に回動させて戻り搬送路Ｌｂを開放することにより、戻り搬送路Ｌｂに詰まった用紙を処理することができる。
【００５６】
次いで、図２から図５により、画像読取装置３００を構成する読取部３０１について説明する。
図２は、画像読取装置３００の読取部３０１の内部構造を示す概略平面図である。図３は、図２に示す画像読取装置３００を矢印Ｓ方向から見た図である。図４は、図３に示す導光体５０５の部分拡大図である。図５は、図３に示すＬＥＤユニット５０３の斜視図である。
【００５７】
図２及び図３に示すように、読取部３０１は、原稿Ｇが載置されるコンタクトガラス３３５と、一対の案内レール３４５と、駆動プーリ３５１が取り付けられた駆動軸３５０と、従動プーリ３５２が取り付けられた支軸３５３と、照明手段としての照明ユニット３４７と、ミラーユニット３４９と、結像レンズ３５７と、読取手段としてのＣＣＤ３５８と、光学センサ３６２と、を備える。
【００５８】
図２に示すように、読取部３０１は、上面（図２における手前側）に配置され原稿Ｇが載置されるコンタクトガラス３３５を有する。コンタクトガラス３３５は、コピー機１が通常の状態で配置された場合、水平面と略平行に配置される。
【００５９】
図２に示すように、一対の案内レール３４５は、読取部３０１における側面３０６ａ、３０６ｂ（図２における左右）同士の間に配置される。一対の案内レール３４５は、上述のコンタクトガラス３３５（図３参照）と平行に設置される。一対の案内レール３４５上には、照明ユニット３４７及びミラーユニット３４９が移動可能に載置される。
【００６０】
図２に示すように、駆動軸３５０は、側面３０６ａ側に案内レール３４５と直交するように配置される。駆動軸３５０は、不図示の駆動モータにより正転駆動され、又は逆転駆動される。駆動軸３５０の両端であって案内レール３４５よりも主走査方向Ｙの外側には、大径部及び小径部を有する駆動プーリ３５１が取り付けられる。
【００６１】
図２に示すように、支軸３５３は、側面３０６ｂ側に案内レール３４５と直交するように配置される。支軸３５３の両端であって案内レール３４５よりも主走査方向Ｙの外側には、駆動プーリ３５１と同一径の従動プーリ３５２が取り付けられる。
【００６２】
駆動プーリ３５１及び従動プーリ３５２の大径部には、駆動用ワイヤー３５４ａが掛け渡される。そして、駆動用ワイヤー３５４ａには、照明ユニット３４７が固定される。
また、駆動プーリ３５１及び従動プーリ３５２の小径部には、駆動用ワイヤー３５４ｂが掛け渡される。そして、駆動用ワイヤー３５４ｂには、ミラーユニット３４９が固定される。
【００６３】
駆動軸３５０が駆動モータによって回転されることで、駆動用ワイヤー３５４ａ、３５４ｂは回動される。駆動用ワイヤー３５４ａ、３５４ｂが回動されることで、照明ユニット３４７及びミラーユニット３４９は、案内レール３４５に沿って副走査方向Ｘ（図２及び図３における左右方向）に移動される。駆動プーリ３５１及び従動プーリ３５２における大径部と小径部との径比は２：１である。そのため、照明ユニット３４７とミラーユニット３４９との移動距離の比は２：１となる。
【００６４】
なお、本実施形態においては、大径部及び小径部を有する駆動プーリ３５１及び従動プーリ３５２を利用して、照明ユニット３４７とミラーユニット３４９との移動距離の比が２：１となる構成を実現しているが、これに制限されない。例えば、ミラーユニット３４９に動滑車を設け、照明ユニット３４７を駆動用ワイヤーなどに固定して設けることにより、動滑車の原理を利用して、照明ユニット３４７とミラーユニット３４９との移動距離の比が２：１となる構成を実現することもできる。
【００６５】
ここで、照明ユニット３４７及びミラーユニット３４９における案内レール３４５の上面と接する部分には、接触子３５５がそれぞれ２個ずつ設けられる。各接触子３５５の案内レール３４５との接触面は球面状となっている。これにより、照明ユニット３４７及びミラーユニット３４９は、副走査方向Ｘへスムーズに移動される。
【００６６】
図２に示すように、読取部３０１の底面における側面３０６ａ側には、結像レンズ３５７、ＣＣＤ３５８等を支持する部材であるＩＳＵベース３５６が取り付けられる。ＩＳＵベース３５６の上面には、結像レンズ３５７と、読取手段としてのＣＣＤ３５８が所定の位置関係で取り付けられる。
【００６７】
図２に示すように、結像レンズ３５７は、ＩＳＵベース３５６に固定されるレンズ支持台３５９上に設置される。レンズ支持台３５９は、ＣＣＤ３５８側に配置されるガイド部材３６０により位置が調整可能に配置される。結像レンズ３５７は、読取部３０１の副走査方向Ｘにおける略中央に配置される。結像レンズ３５７は、光路Ｈ（図３参照）における原稿Ｇ側と反対の端部側に配置される。結像レンズ３５７は、入射された光束Ｈ４（図３参照）を所定位置において結像させる。つまり、結像レンズ３５７は、原稿Ｇの画像を所定位置において結像させる。
【００６８】
図２に示すように、ＣＣＤ３５８は、ガイド部材３６０の背面に配置されるＣＣＤ基板３６１に実装される。ＣＣＤ３５８は、結像レンズ３５７における結像位置に配置される。結像レンズ３５７からの光束は、ガイド部材３６０の中央付近に形成される開口窓３６０ａを通ってＣＣＤ３５８に入射される。ＣＣＤ３５８に入射される光束における光軸は、ガイド部材３６０の位置を微調整することにより補正される。
【００６９】
光学センサ３６２は、ＩＳＵベース３５６上に配置される。光学センサ３６２は、コンタクトガラス３３５上に載置された原稿Ｇからの反射光を受光するか否かによって原稿のサイズ（図２の左右方向）を検知する。
【００７０】
図３に示すように、照明ユニット３４７は、照明部３４０、第１ミラー３２１及び第１ミラー３２１を収容する第１枠体３１１と、を備える。
【００７１】
照明部３４０は、発光部としての複数のＬＥＤ５０１が取り付けられたＬＥＤユニット５０３と、複数のＬＥＤ５０１に近接又は当接して配置される導光体５０５とを有する。導光体５０５は、複数のＬＥＤ５０１からの光を原稿Ｇ側へ導く導光部を形成する。照明部３４０については、後に詳述する。
【００７２】
第１ミラー３２１は、照明ユニット３４７における厚さ方向Ｚにおける下方側に配置される。第１ミラー３２１は、反射面が原稿Ｇ及び第２ミラー３２２側に向くように配置される。第１ミラー３２１は、原稿からの光束Ｈ１を第２ミラー３２２に反射させる。
【００７３】
第１枠体３１１は、駆動プーリ３５１及び従動プーリ３５２（図２参照）の大径部に掛け渡される駆動用ワイヤー３５４ａ（図２参照）に固定される。駆動用ワイヤー３５４ａ、３５４ｂが回動されることで、第１枠体３１１は、案内レール３４５に沿って副走査方向Ｘに移動される。
【００７４】
図３に示すように、ミラーユニット３４９は、第２ミラー３２２と、第３ミラー３２３と、第２ミラー３２２と第３ミラー３２３とを収容する第２枠体３１２と、を備える。
【００７５】
第２ミラー３２２は、第２枠体３１２の厚さ方向Ｚにおける上方側に配置される。第２ミラー３２２は、反射面が第１ミラー３２１及び第３ミラー３２３側を向くように配置される。第２ミラー３２２は、第１ミラー３２１からの光束Ｈ２を第３ミラー３２３側に反射させる。
【００７６】
第３ミラー３２３は、第２枠体３１２の厚さ方向Ｚにおける下方側に配置される。第３ミラー３２３は、反射面が第２ミラー３２２及び結像レンズ３５７側を向くように配置される。第３ミラー３２３は、第２ミラー３２２からの光束Ｈ３を結像レンズ３５７側に反射させる。
【００７７】
図３に示すように、コンタクトガラス３３５は、原稿Ｇが載置される読取面３０２Ａを構成する載置面を有する。コンタクトガラス３３５は、板状の光透過性部材により形成される。
【００７８】
図３から図５により、照明部３４０について詳述する。
図３に示すように、照明部３４０は、コンタクトガラス３３５における読取面３０２Ａと反対側に配置される。照明部３４０は、発光部としての複数のＬＥＤ５０１が取り付けられたＬＥＤユニット５０３と、導光体５０５と、導光体５０５が取り付けられる取り付け部材５１０と、を備える。ＬＥＤユニット５０３は、複数のＬＥＤ５０１と、複数のＬＥＤ５０１を支持する支持部材としての回路基板５０２とを有する。
【００７９】
図４及び図５に示すように、複数のＬＥＤ５０１それぞれは、回路基板５０２に互いに離間して取り付けられる。回路基板５０２は、複数のＬＥＤ５０１を発光させるための回路基板である。回路基板５０２は、主走査方向Ｙに長い長方形状の板部材からなる。複数のＬＥＤ５０１それぞれは、回路基板５０２の主走査方向Ｙに一定間隔ごとに並んで配置される。複数のＬＥＤ５０１それぞれは、光を発光する発光面５０１ａを有する。複数のＬＥＤ５０１の発光面５０１ａは、回路基板５０２の面方向に対して直交するように回路基板５０２上に配置される。複数のＬＥＤ５０１は、回路基板５０２の面方向に光を発光する。複数のＬＥＤ５０１から発光される光は、導光体５０５に導かれることにより読取面３０２Ａにおける所定の照射位置Ｉに照射される。
【００８０】
図４に示すように、導光体５０５は、一端５０５ａが複数のＬＥＤ５０１側を向き、他端５０５ｂがコンタクトガラス３３５側に向くように配置される。導光体５０５は、一端５０５ａ側に形成される入光部４００と、他端５０５ｂ側に形成される出光部４１０とを有する。
【００８１】
入光部４００は、複数のＬＥＤ５０１に対向して配置される。入光部４００には、複数のＬＥＤ５０１からの光が導光体５０５の内部に向けて入光される。出光部４１０は、読取面３０２Ａに対向して配置される。出光部４１０は、入光部４００から入光された光を読取面３０２Ａ側に向けて出光させる。
【００８２】
導光体５０５は、入光部４００から入光された光を出光部４１０から出光して、複数のＬＥＤ５０１からの光を照射位置Ｉへ導くように構成される。
【００８３】
導光体５０５は、入光部４００と出光部４１０との間に形成される屈曲部４１５を有する。導光体５０５は、入光部４００から屈曲部４１５まで延びる水平部５０６と、屈曲部４１５から出光部４１０まで延びる斜め傾斜部５０７とを有する。
【００８４】
水平部５０６は、副走査方向Ｘに延びるように形成される。水平部５０６における読取面３０２Ａ側の外面４３０は、読取面３０２Ａに対して平行に配置される水平面部５０６ａを構成する。斜め傾斜部５０７は、屈曲部４１５を介して水平部５０６に対して所定の角度をなして読取面３０２Ａ側に屈曲する。導光体５０５は、水平部５０６及び斜め傾斜部５０７が屈曲部４１５を介して連続することにより形成される。
【００８５】
図３に示すように、導光体５０５は、ＬＥＤ５０１から照射位置Ｉまでの光路距離を確保すると共に、内部空間３０４を有効に利用することによる省スペース化（特に、厚さ方向Ｚの省スペース化）の実現のため、屈曲部４１５において屈曲する形状である。これは、ＬＥＤ５０１から照射位置Ｉまでの距離を確保することにより、照射位置ＩにおいてＬＥＤ５０１からの光を十分に拡散して光量ムラを抑制するためである。
【００８６】
また、導光体５０５は、導光体５０５の内面に形成され、入光部４００に入光された光の不要な拡散を抑制して出光部４１０から出光させるための反射面を有する。例えば、斜め傾斜部５０７における反射面に反射される光はそれぞれの角度で屈折して読取面３０２Ａ側に導かれる。
【００８７】
出光部４１０から出光する光Ｈ０１は、導光体５０５の内面に形成される反射面により集光されて読取面３０２Ａ側に出光される。導光体５０５は、不要な拡散を抑制しながら入光部４００に入光された光を照射位置Ｉに導く。
【００８８】
図４に示すように、回路基板５０２は、導光体５０５における読取面３０２Ａ（載置面）側の外面４３０の少なくとも入光部４００の近傍に対向して配置される。本実施形態においては、回路基板５０２は、水平面部５０６ａにおける屈曲部４１５と入光部４００との間の領域の略全域に亘って配置される。ここで、略全域とは、屈曲部４１５と入光部４００との間の全ての領域（１００％）のみならず、８０％以上の領域である場合も含まれる。
また、回路基板５０２は、水平面部５０６ａにおいて接合部材で固定される。
【００８９】
回路基板５０２は、遮光部５０２ａを有する。遮光部５０２ａは、導光体５０５の入光部４００近傍から漏れる光を遮光する部位である。遮光部５０２ａは、複数のＬＥＤ５０１と照射位置Ｉとをつなぐ仮想直線Ｋ上に位置する。遮光部５０２ａは、仮想直線Ｋ上に位置して、導光体５０５から漏れる光を遮光して照射位置Ｉ側への照射を妨げる構成であればよい。
【００９０】
図３に示すように、取り付け部材５１０は、第１枠体３１１における上方（図３において上方）に配置される。取り付け部材５１０には、導光体５０５が取り付けられる。複数のＬＥＤ５０１は、回路基板５０２が導光体５０５に取り付けられることにより、入光部４００に対向して配置される。
【００９１】
続けて、本実施形態の画像読取装置３００における作用について説明する。
まず、蓋部材７０（図１参照）を開状態にすると共に、読取面３０２Ａ（図３参照）に原稿Ｇを載置する。光学センサ３６２（図３参照）により読取面３０２Ａに原稿が載置されたことが検知されることで、照明ユニット３４７及びミラーユニット３４９（図３参照）は、内部空間３０４の側面３０６ａ側（図３参照）に配置される。
【００９２】
次いで、蓋部材７０を閉状態にする。そして、不図示のスタートスイッチを押すことで、コピー機１に対して、原稿Ｇの画像を複製することを指示する。スタートスイッチが押されることで、画像読取装置３００による原稿Ｇの画像を読み取り動作が開始される。
【００９３】
具体的には、まず、複数のＬＥＤ５０１（図３参照）が点灯される。点灯された複数のＬＥＤ５０１からの光は、入光部４００から導光体５０５の内部に入光される。入光部４００から入光された光は、導光体５０５の内部に形成される反射面により全体として集光されて出光部４１０から出光される。導光体５０５は、入光部４００に入光された光の不要な拡散を抑制して出光部４１０から光を出光する。ここで、導光体５０５の入光部４００近傍から光が漏れる場合がある。画像読取装置３００は、回路基板５０２が導光体５０５における読取面３０２Ａ側の外面４３０の少なくとも入光部４００の近傍に対向して配置されるように構成される。そのため、回路基板５０２は、導光体５０５から漏れる光を遮光することができる。出光部４１０から出光された光Ｈ０１により、読取面３０２Ａにおける照射位置Ｉには、主走査方向Ｙに延びるような態様のライン状の光が照射される。
【００９４】
照射位置Ｉへの光の照射がされた状態で、照明ユニット３４７及びミラーユニット３４９それぞれは、副走査方向Ｘに移動される。照明ユニット３４７及びミラーユニット３４９それぞれは、光路Ｈにおける光路長を一定に保持しながら移動する。
【００９５】
照射位置Ｉからの光束は、第１ミラー３２１、第２ミラー３２２及び第３ミラー３２３に反射された後、結像レンズ３５７に入射される（図３参照）。
【００９６】
結像レンズ３５７は、原稿Ｇの画像を結像させる。結像位置に配置されたＣＣＤ３５８は、ガイド部材３６０の開口窓３６０ａを通過して該ＣＣＤ３５８上に結像された画像に基づいて、原稿Ｇの画像を画像情報として読み込む（図３参照）。
【００９７】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される（図３参照）。
【００９８】
装置本体Ｍにおいて、入力された画像情報は、不図示の画像形成制御部に入力される。画像形成制御部は、画像情報に基づいて、画像形成部を構成する像担持体としての感光体ドラム２、帯電部１０ａから１０ｄ、レーザスキャナユニット４ａから４ｄや現像器１６ａから１６ｄ等を制御する。感光体ドラム２には、画像情報に基づいて、所定のトナー画像が形成される（図１参照）。
【００９９】
搬送路Ｌを介して感光体ドラム２により形成される１次転写ニップＮ１ａ、Ｎ１ｂ、Ｎ１ｃ、Ｎ１ｄに搬送された用紙Ｔには、画像情報に基づいて原稿Ｇの画像と同じ画像が転写される。画像が形成された用紙Ｔは、第１排紙部５０ａ及び第２排紙部５０ｂから装置本体Ｍの外部に排紙される（図１参照）。
【０１００】
本実施形態によれば、画像読取装置３００は、照射位置Ｉに照射させる光を発光する複数のＬＥＤ５０１と、複数のＬＥＤ５０１と照射位置Ｉとをつなぐ直線Ｋ上に配置される遮光部５０２ａを有する回路基板５０２とを備える。そのため、導光部（導光体５０５）から漏れる光を遮光することができる。従って、複数のＬＥＤ５０１から照射される光Ｈ０１の照射位置Ｉにおいての光量ムラを抑制できる。これにより、読み取り画像において光量ムラやフレア画像の発生を抑制できる。
【０１０１】
また、本実施形態によれば、回路基板５０２は、導光体５０５における読取面３０２Ａ側の外面４３０の少なくとも入光部４００の近傍に対向して配置される。そのため、導光体５０５から漏れる光を遮光することができる。ここで、出光部４１０から出光される光以外の外面４３０から漏れる光とは、例えば、入光部４００の入光面で反射されて外面４３０から漏れる光等がある。ここで、入光部４００の入光面とは、複数のＬＥＤ５０１に対向して配置され、複数のＬＥＤ５０１からの光を入光する面である。
【０１０２】
また、本実施形態によれば、支持部材としての回路基板５０２は、複数のＬＥＤ５０１を支持すると共に、複数のＬＥＤ５０１を発光させる。そして、回路基板５０２は、複数のＬＥＤ５０１と照射位置Ｉとをつなぐ直線Ｋ上に配置される。そのため、複数のＬＥＤ５０１を入光部４００に対向して配置できると共に、導光体５０５の外面４３０から漏れる光を照射位置Ｉ側へ照射されないように遮光できる。
本実施形態によれば、複数のＬＥＤ５０１を発光させるための回路基板５０２を遮光部５０２ａとして用いることができる。そのため、コストを抑えつつ、読み取り画像において光量ムラやフレア画像の発生を抑制する画像読取装置（画像形成装置）を得ることができる。
【０１０３】
また、本実施形態によれば、遮光部５０２ａを有する回路基板５０２は、導光体５０５の水平面部５０６ａにおける屈曲部４１５と入光部４００との間の領域の略全域に亘って配置されるので、導光体５０５の外面４３０から漏れる光をより効果的に遮光できる。そのため、複数のＬＥＤ５０１から照射される光Ｈ０１の読取面３０２Ａにおいて漏れ光による光量ムラをより抑制できる。
【０１０４】
また、本実施形態によれば、回路基板５０２は、水平面部５０６ａにおいて接合部材で固定されるので、回路基板５０２を入光部４００の近傍に容易に配置できる。
【０１０５】
以上、好適な実施形態として説明したが、本発明は上述した実施形態に限定されることなく種々の形態で実施することができる。例えば、本実施形態において、画像形成装置としてコピー機１について説明しているが、コピー機には、カラーコピー機、モノクロコピー機が含まれる。また、画像形成装置は、これに限定されず、プリンタ、ファクシミリ及びこれらの複合機等であってもよい。
【０１０６】
また、実施形態においては、導光部は、導光体５０５により構成されているが、これに限られない。例えば、導光部は、照明部３４０の所定位置に反射板を設けることで、複数のＬＥＤ５０１からの光を反射板の反射により照射位置Ｉへ導く構成であってもよい。
【０１０７】
また、実施形態においては、支持部材は、回路基板５０２により構成されているが、これに限られない。
【０１０８】
また、実施形態において、画像読取装置３００は、装置本体Ｍと一体的に形成されているが、これに限定されず、装置本体Ｍと別個の筐体により構成されていてもよい。例えば、画像読取装置３００は、装置本体Ｍに対して着脱可能に構成されてもよい。
【０１０９】
また、実施形態において、画像読取装置３００は、画像形成装置としてのコピー機１の一部を構成しているが、これに限定されず、例えば、イメージスキャナ等の単体として用いられる装置であってもよい。
【０１１０】
また、実施形態において、発光部としてＬＥＤ５０１について説明しているが、これに限定されない。例えば、発光部として、有機ＥＬ（Ｏｒｇａｎｉｃ  Ｅｌｅｃｔｒｏ−Ｌｕｍｉｎｅｓｃｅｎｃｅ）、光ファイバーを利用したものや各種ランプを用いることができる。
【符号の説明】
【０１１１】
１……コピー機（画像形成装置）、２ａ、２ｂ、２ｃ、２ｄ……感光体ドラム（像担持体）、１６……現像器、３００……画像読取装置、３２１……第１ミラー（ミラー）、３２２……第２ミラー（ミラー）、３２３……第３ミラー（ミラー）、３４０……照明部、３５７……結像レンズ、３５８……ＣＣＤ（読取手段）、４００……入光部、４１０……出光部、４１５……屈曲部、５０１……ＬＥＤ（発光部）、５０２……回路基板（支持部材）、５０５……導光体（導光部）、Ｇ……原稿、Ｈ……光路、Ｉ……照射位置、Ｋ……直線、Ｎ１ａ、Ｎ１ｂ、Ｎ１ｃ、Ｎ１ｄ……１次転写ニップ（転写部）、Ｘ……副走査方向、Ｙ……主走査方向
【図１】
2010199680.tif 000003
【図２】
2010199680.tif 000004
【図３】
2010199680.tif 000005
【図４】
2010199680.tif 000006
【図５】
2010199680.tif 000007